(57)【要約】      （修正有）【課題】原稿台と原稿排出台を閉じた際に、両者の重なりや段差が生じることなくコンパクトに収納できるようにして、画像読取装置の小型化とデザイン性の向上を図る。【解決手段】画像読取装置は、凹部１０２ａが形成された装置本体１０２，１１４と、凹部１０２ａを開閉する方向に装置本体１１４に対して回動可能に支持され、開いた状態で原稿が載せられる原稿台１０７と、凹部１０２ａを開閉する方向に装置本体１１４に回動可能に対して支持され、開いた状態で原稿台１０７から装置本体に取り込まれて画像が読み取られた原稿が排出される原稿排出台１０９とを備える。原稿台１０７及び原稿排出台１０９は、閉じた状態で凹部１０２ａに収納され、収納状態において、原稿台１０７の外観面と、原稿排出台１０９の外観面と、凹部１０２ａの周囲の凸面１０２ｂとが略面一とされ、かつ凹部１０２ａの略全域が原稿台１０７及び原稿排出台１０９により覆われる。【選択図】図１
2014011617.tif 000002
【特許請求の範囲】
【請求項１】
凹部が形成された装置本体と、
前記凹部を開閉する方向に前記装置本体に対して回動可能に支持され、開いた状態で原稿が載せられる原稿台と、
前記凹部を開閉する方向に前記装置本体に回動可能に対して支持され、開いた状態で前記原稿台から前記装置本体に取り込まれて画像が読み取られた原稿が排出される原稿排出台と、を備え、
前記原稿台、及び前記原稿排出台は、閉じた状態で前記凹部に収納され、前記収納状態において、前記原稿台の外観面と、前記原稿排出台の外観面と、前記装置本体の前記凹部の周囲の凸面とが略面一とされ、かつ前記凹部の略全域が前記原稿台、及び前記原稿排出台により覆われることを特徴とする画像読取装置。
【請求項２】
前記原稿台より小型に形成され、前記装置本体の原稿挿入口を開閉可能に覆う原稿挿入トレイと、
前記原稿排出台より小型に形成され、前記装置本体の原稿排出口を開閉可能に覆う原稿排出トレイと、を備えることを特徴とする請求項１に記載の画像読取装置。
【請求項３】
前記凹部には、機能ボタンが設けられ、
前記原稿台、及び前記原稿排出台を閉じた状態で前記機能ボタンを露出させるための切欠き部が、前記原稿台、又は前記原稿排出台に形成されることを特徴とする請求項１又は２に記載の画像読取装置。
【発明の詳細な説明】
【技術分野】
【０００１】
本発明は、原稿台と原稿排出台とを有し、例えばオフィスで机の上に置いて使用する小型の画像読取装置に関する。
【背景技術】
【０００２】
従来のこの種の画像読取装置を図６に示す（特許文献１及び２）。この画像読取装置は、下部ユニット３００と上部ユニット３０１とを有し、上部ユニット３０１の上面には、凹部３０１ａが形成されている。凹部３０１ａには、電源ボタン３０５、及び用紙ジャム解除用ボタン３０４等の操作ボタン群が配置されている。また、原稿の挿入口側には、原稿台３０２が下部ユニット３００に対して回動可能に支持され、原稿の排出口側には、原稿排出台３０３が下部ユニット３００に対して回動可能に支持されている。
【０００３】
そして、原稿の画像を読み取る際には、図６（ａ）に示すように、原稿台３０２、及び原稿排出台３０３をそれぞれ開く方向に回動させる。また、画像読取装置を使用しないときは、図６（ｂ）に示すように、原稿台３０２を閉じる方向に回動させて上部ユニット３０１の凹部３０１ａに収納し、次いで、原稿排出台３０３を閉じる方向に回動させて原稿台３０２の上面に重なるように収納する。これにより、原稿台３０２、及び原稿排出台３０３をコンパクトに収納して、画像読取装置の小型化を可能にするとしている。
【先行技術文献】
【特許文献】
【０００４】
【特許文献１】特許第４４９５１９５公報
【特許文献２】特許第４０１２１１６公報
【発明の概要】
【発明が解決しようとする課題】
【０００５】
しかし、上記特許文献１及び２では、原稿台３０２及び原稿排出台３０３を閉じる方向に回動させて収納する際、原稿排出台３０３が原稿台３０２の上面に重なるように収納される。従って、原稿台３０２と原稿排出台３０３の厚さ分、上部ユニット３０１の上面側が張り出すことになり、また、原稿台３０２と原稿排出台３０３との間に段差が発生することになる。このため、画像読取装置の小型化を妨げる原因になるとともに、デザイン性を低下させる原因になる。
【０００６】
そこで、本発明は、原稿台と原稿排出台を閉じた際に、両者が重なることなく、かつ両者の間に段差が生じることなくコンパクトに収納できるようにして、画像読取装置の小型化を図るとともに、デザイン性の向上を図る仕組みを提供することを目的とする。
【課題を解決するための手段】
【０００７】
上記目的を達成するために、本発明の画像読取装置は、凹部が形成された装置本体と、前記凹部を開閉する方向に前記装置本体に対して回動可能に支持され、開いた状態で原稿が載せられる原稿台と、前記凹部を開閉する方向に前記装置本体に回動可能に対して支持され、開いた状態で前記原稿台から前記装置本体に取り込まれて画像が読み取られた原稿が排出される原稿排出台と、を備え、前記原稿台、及び前記原稿排出台は、閉じた状態で前記凹部に収納され、前記収納状態において、前記原稿台の外観面と、前記原稿排出台の外観面と、前記装置本体の前記凹部の周囲の凸面とが略面一とされ、かつ前記凹部の略全域が前記原稿台、及び前記原稿排出台により覆われることを特徴とする。
【発明の効果】
【０００８】
本発明によれば、原稿台と原稿排出台を閉じた際に、両者が重なることなく、かつ両者の間に段差が生じることなくコンパクトに収納することができるので、画像読取装置の小型化を図ることができるとともに、デザイン性を高めることができる。
【図面の簡単な説明】
【０００９】
【図１】（ａ）は本発明の第１の実施形態である画像読取装置を示す斜視図、（ｂ）は（ａ）に示す画像読取装置の原稿台及び原稿排出台をそれぞれ開いた状態を示す斜視図である。
【図２】画像読取装置の制御系の概略を示すブロック図である。
【図３】本発明の第２の実施形態である画像読取装置の斜視図である。
【図４】（ａ）は本発明の第３の実施形態である画像読取装置を示す斜視図、（ｂ）は（ａ）に示す画像読取装置の原稿台及び原稿排出台をそれぞれ開いた状態を示す斜視図である。
【図５】（ａ）は本発明の第４の実施形態である画像読取装置を示す斜視図、（ｂ）は（ａ）に示す画像読取装置の原稿台及び原稿排出台をそれぞれ開いた状態を示す斜視図である。
【図６】従来の画像読取装置の一例を示す斜視図である。
【発明を実施するための形態】
【００１０】
以下、本発明の実施形態を図面を参照して説明する。
【００１１】
（第１の実施形態）
図１（ａ）は本発明の第１の実施形態である画像読取装置を示す斜視図、図１（ｂ）は図１（ａ）に示す画像読取装置の原稿台及び原稿排出台をそれぞれ開いた状態を示す斜視図である。なお、本実施形態では、情報処理端末と接続するための汎用通信インターフェースを備えるオートドキュメントフィーダ（ＡＤＦ）型の画像読取装置を例に採る。
【００１２】
図１に示すように、本実施形態の画像読取装置は、下部ユニット１１４と上部ユニット１０２とにより装置本体１０１を構成しており、上部ユニット１０２の上面には、凹部１０２ａが形成されている。凹部３０１ａには、カバー開閉用レバー１０６が設けられている。上部ユニット１０２の凹部１０２ａの周囲の凸面のうち、図中右側の凸面１０２ｂには、複数の機能ボタン１０３が配置されている。
【００１３】
また、原稿の挿入口１０４側には、原稿台１０７が下部ユニット１１４に対して回動可能に支持され、原稿の排出口１０５側には、原稿排出台１０９が下部ユニット１１４に対して回動可能に支持されている。原稿排出台１０９の先端部には、補助トレイ１１５がスライド可能又は折り畳み可能に設けられている。下部ユニット１１４の原稿台１０７の下側位置には、原稿台１０７より小型の原稿挿入トレイ１１６ａが開閉方向に回動可能に支持されている。なお、図１（ａ）では、原稿挿入トレイ１１６ａが閉じた状態とされ、図１（ｂ）では、原稿挿入トレイ１１６ａが開いた状態とされている。
【００１４】
そして、原稿の画像を読み取る際には、図１（ｂ）に示すように、原稿台１０７、及び原稿排出台１０９をそれぞれ開く方向に回動させ、この状態で原稿台１０７に原稿を置いて機能ボタン１０３のスキャン開始ボタンを操作する。これにより、原稿１０４が原稿挿入口１０４から取り込まれてスキャナ部２０６（図２）により画像の読み取りが行われ、読み取り後、原稿排出口１０５から原稿排出台１０９上に原稿が排出される。
【００１５】
図２は、画像読取装置の制御系の概略を示すブロック図である。図２に示すように、画像読取装置は、システムバス２０５にＣＰＵ２０１、ＲＡＭ２０２、ＲＯＭ２０３、外部Ｉ／Ｆ２０４、及びスキャナ部２０６等が接続されている。外部Ｉ／Ｆ２０４には、汎用通信ケーブル１０８（図１（ｂ））が接続され、図１（ｂ）に示すように、この汎用通信ケーブル１０８を介して画像読取装置とパーソナルコンピュータ等の情報処理端末１１０とが互いに通信可能に接続される。
【００１６】
画像の読み取り中に原稿の紙詰まり等が発生したときは、原稿を取り除くため、又は上部ユニット１０２内に設けられた不図示の給紙ローラを交換するために、カバー開閉用レバー１０６を操作して上部ユニット１０２の給紙口の不図示のカバーを開閉する。
【００１７】
ＣＰＵ２０１は、上部ユニット１０２の給紙口のカバーの開閉状態を不図示のセンサにより監視し、その開閉信号を情報処理端末１１０に送信する。また、ユーザによって操作されたいずれかの機能ボタン１０３の操作情報はＲＡＭ２０２に記憶され、情報処理端末１１０から機能ボタン１０３の操作情報の送信指令があると、ＣＰＵ２０１は、ＲＡＭ２０２に記憶された操作情報を情報処理端末１１０に送信する。情報処理端末１１０は、画像データを編集するプログラム等を実行したり、画像読取装置で読み取った画像データを表示装置１１１へ表示したりする。
【００１８】
また、画像読取装置を使用しないときは、図１（ａ）に示すように、原稿台１０７、及び原稿排出台１０９をそれぞれ閉じる方向に回動させて上部ユニット１０２の凹部１０２ａに収納する。ここで、かかる収納状態においては、原稿台１０７の外観面と、原稿排出台１０９の外観面と、上部ユニット１０２の凸面１０２ｂとが略面一とされ、かつ上部ユニット１０２の凹部１０２ａの略全域が原稿台１０７、及び原稿排出台１０９により覆われる。また、画像読取装置を使用しないときは、原稿挿入トレイ１１６ａも閉じ方向に回動操作されて、原稿挿入口１０４が覆われる。これにより、原稿挿入口１０４から塵埃や紙屑等が進入するのを防止している。
【００１９】
このように、本実施形態では、原稿台１０７と原稿排出台１０９を閉じた際に、両者が重なることなく、かつ両者の間に段差が生じることなく、コンパクトに収納することができる。これにより、画像読取装置の小型化を図ることができるとともに、デザイン性を高めることができる。
【００２０】
また、本実施形態では、短い原稿の画像を読み取る際には、原稿台１０７と原稿排出台１０９を閉じた状態で原稿挿入トレイ１１６ａを開いて原稿を原稿挿入口１０４からスキャナ部２０６に取り込むことができる。この場合、画像読み取り後の原稿は、原稿排出口１０５から直接排出されるので、原稿排出台１０９や原稿台１０７を開くためのスペースを確保しなくてすむ。
【００２１】
（第２の実施形態）
次に、図３を参照して、本発明の第２の実施形態である画像読取装置について説明する。なお、上記第１の実施形態に対して重複又は相当する部分については、図に同一符号を付して相違点についてのみ説明する。
【００２２】
図３は、本発明の第２の実施形態である画像読取装置の斜視図である。図３に示すように、本実施形態の画像読取装置は、複数の機能ボタン１０３を上部ユニット１０２の凹部１０２ａに設けている。また、原稿台１０７と原稿排出台１０９を閉じた状態でも、機能ボタン１０３が操作できるように、原稿台１０７又は原稿排出台１０９に切欠き部１１７を設けて機能ボタン１０３を露出させている。なお、機能ボタン１０３の露出部分を可動式の蓋等で覆うようにしてもよい。
【００２３】
また、本実施形態では、原稿排出台１０９より小型に形成されて、原稿排出口１０５を開閉可能に覆う原稿排出トレイ１１６ｂが下部ユニット１１４に回動可能に支持されている。短い原稿の画像を読み取る際には、原稿台１０７と原稿排出台１０９を閉じた状態で原稿挿入トレイ１１６ａ及び原稿排出トレイ１１６ｂを開いて原稿を原稿挿入口１０４からスキャナ部２０６に取り込むことができる。この場合、画像読み取り後の原稿は、原稿排出口１０５から原稿排出トレイ１１６ｂに排出される。
【００２４】
画像読取装置を使用しないときは、原稿排出トレイ１１６ｂも閉じ方向に回動操作されて、原稿排出口１０５が覆われるので、原稿排出口１０５から塵埃や紙屑等が進入するのを防止することができる。その他の構成、及び作用効果は、上記第１の実施形態と同様である。
【００２５】
（第３の実施形態）
次に、図４を参照して、本発明の第３の実施形態である画像読取装置について説明する。なお、上記第１の実施形態に対して重複又は相当する部分については、図に同一符号を付して相違点についてのみ説明する。
【００２６】
図４（ａ）は本発明の第３の実施形態である画像読取装置を示す斜視図、図４（ｂ）は図４（ａ）に示す画像読取装置の原稿台及び原稿排出台をそれぞれ開いた状態を示す斜視図である。
【００２７】
図４に示すように、本実施形態の画像読取装置は、原稿台１０７、及び原稿排出台１０９がそれぞれ略直角三角形状とされ、いずれも長辺部、短辺部及び斜辺部のうち、長辺部が下部ユニット１１４に対して回動可能に支持されている。なお、原稿台１０７、及び原稿排出台１０９が下部ユニット１１４に対して回動可能に支持された状態においては、原稿台１０７は、図中右側は鋭角側とされ、原稿排出台１０９は、図中左側が鋭角側とされている。
【００２８】
図４（ｂ）に示すように、原稿台１０７には、鋭角側を支点として斜辺部から扇状に開閉動作する補助トレイ１１５ａが取り付けられ、原稿排出台１０９にも鋭角側を支点として斜辺部から扇状に開閉動作する補助トレイ１１５ｂが取り付けられている。なお、図４（ａ）では、原稿挿入トレイ１１６ａが閉じた状態とされ、図４（ｂ）では、原稿挿入トレイ１１６ａが開いた状態とされている。
【００２９】
そして、原稿の画像を読み取る際には、図４（ｂ）に示すように、原稿台１０７、及び原稿排出台１０９をそれぞれ開く方向に回動させるとともに、補助トレイ１１５ａ，１１５ｂを開き動作させる。そして、この状態で原稿台１０７及び補助トレイ１１５ａに原稿を置いてスキャンを開始すると、原稿１０４が取り込まれてスキャナ部２０６（図２）により画像の読み取りが行われ、読み取り後、原稿排出台１０９及び補助トレイ１１５ｂ上に原稿が排出される。
【００３０】
また、画像読取装置を使用しないときは、補助トレイ１１５ａ，１１５ｂを閉じ動作させるとともに、図４（ａ）に示すように、原稿台１０７、及び原稿排出台１０９をそれぞれ閉じる方向に回動させて上部ユニット１０２の凹部１０２ａに収納する。
【００３１】
ここで、かかる収納状態においては、原稿台１０７の外観面と、原稿排出台１０９の外観面と、上部ユニット１０２の凸面１０２ｂとが略面一とされ、かつ上部ユニット１０２の凹部１０２ａの略全域が原稿台１０７、及び原稿排出台１０９により覆われる。また、画像読取装置を使用しないときは、原稿挿入トレイ１１６ａも閉じ方向に回動操作されて、原稿挿入口１０４が覆われる。これにより、原稿挿入口１０４から塵埃や紙屑等が進入するのを防止している。
【００３２】
（第４の実施形態）
次に、図５を参照して、本発明の第４の実施形態である画像読取装置について説明する。なお、上記第１〜第３の実施形態に対して重複又は相当する部分については、図に同一符号を付して説明する。
【００３３】
図５（ａ）は本発明の第４の実施形態である画像読取装置を示す斜視図、図５（ｂ）は図５（ａ）に示す画像読取装置の原稿台及び原稿排出台をそれぞれ開いた状態を示す斜視図である。
【００３４】
図５に示すように、本実施形態の画像読取装置は、複数の機能ボタン１０３を上部ユニット１０２の凹部１０２ａに設けている。また、原稿台１０７と原稿排出台１０９を閉じた状態でも、機能ボタン１０３が操作できるように、原稿排出台１０９に切欠き部１１７を設けて機能ボタン１０３を露出させている。なお、機能ボタン１０３の露出部分を可動式の蓋等で覆うようにしてもよい。
【００３５】
また、本実施形態では、原稿排出口１０５を開閉可能に覆う原稿排出トレイ１１６ｂが下部ユニット１１４に回動可能に支持されている。短い原稿の画像を読み取る際には、原稿台１０７と原稿排出台１０９を閉じた状態で原稿挿入トレイ１１６ａ及び原稿排出トレイ１１６ｂを開いて原稿をスキャナ部２０６に取り込むことができる。この場合、画像読み取り後の原稿は、原稿排出口１０５から原稿排出トレイ１１６ｂに排出される。
【００３６】
画像読取装置を使用しないときは、原稿排出トレイ１１６ｂも閉じ方向に回動操作されて、原稿排出口１０５が覆われるので、原稿排出口１０５から塵埃や紙屑等が進入するのを防止することができる。その他の構成、及び作用効果は、上記第１〜第３の実施形態と同様である。
【００３７】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００３８】
１０１  画像読取装置
１０２  上部ユニット
１０２ａ  凹部
１０２ｂ  凸面
１０３  機能ボタン
１０４  原稿挿入口
１０５  原稿排出口
１０７  原稿台
１０９  原稿排出台
１１４  下部ユニット
１１５  補助トレイ
１１６ａ  原稿挿入トレイ
１１６ｂ  原稿排出トレイ
【図１】
2014011617.tif 000003
【図２】
2014011617.tif 000004
【図３】
2014011617.tif 000005
【図４】
2014011617.tif 000006
【図５】
2014011617.tif 000007
【図６】
2014011617.tif 000008